(57)【要約】【課題】表示基体に柔軟性を有するフィルム又はシートで形成されたカバー体を密着するように被せて広告や宣伝の表示を行うようにした表示装置において、カバー体の着脱をより簡単に短時間で行うことができる表示装置を提供する。【解決手段】表示装置は、中空の表示基体(1)と、表示基体(1)が着脱自在であり表示基体(1)が膨らませた状態で自立できるように支持する支持部材(2)と、表示基体(1)の各側面部(11,12)に密着して着脱自在に被せられ広告又は宣伝等の表示が設けられたカバー体(3)と、各側面部(11,12)に端縁部に沿って設けられた凹溝(15)と、表示基体(1)に被せられたカバー体(3)の上から凹溝(15)に着脱自在に装着できる止め部材(4)とを備えており、カバー体(3)は柔軟性を有するフィルム又はシートで管状に形成され、止め部材(4)はカバー体(3)の上から凹溝(15)を挟持又は把持することでカバー体(3)に対し所要の強さのテンションをかけることができる。【選択図】図１
2012063705.tif 000002
【特許請求の範囲】
【請求項１】
自立性を有し又は支持部材(2)に取り付けることにより自立性が付与され、広告又は宣伝が直接又は着脱自在な表示部により表示された表示基体(1a)と、
当該表示基体(1a)に密着して着脱自在に被せられ前記表示基体(1a)の広告又は宣伝等の表示(18,180)を外側から視認できるようにする透視部を有するカバー体(3a)と、
を備えており、
前記カバー体(3a)は、柔軟性を有するフィルム又はシートで管状に形成されている、
表示装置。
【請求項２】
自立性を有し又は支持部材(2)に取り付けることにより自立性が付与される表示基体(1)と、
当該表示基体(1)に密着して着脱自在に被せられ広告又は宣伝等の表示(30)が設けられたカバー体(3)と、
を備えており、
前記カバー体(3)は、柔軟性を有するフィルム又はシートで管状に形成されている、
表示装置。
【請求項３】
周壁を形成するように端縁部がつながった表裏一対の側面部(11,12)を備えており、当該各側面部(11,12)は基端縁部が離れて開口部(10)が形成されている中空の表示基体(1)と、
当該表示基体(1)が着脱自在であり表示基体(1)を膨らませた状態で自立できるように支持する支持部材(2)と、
前記表示基体(1)の各側面部(11,12)に密着して着脱自在に被せられ広告又は宣伝等の表示が設けられたカバー体(3)と、
前記表示基体(1)の各側面部(11,12)に前記つながった端縁部に沿って設けられた凹溝(15)と、
前記表示基体(1)に被せられた前記カバー体(3)の上から前記凹溝(15)に着脱自在に装着できる止め部材(4)と、
を備えており、
前記カバー体(3)は、柔軟性を有するフィルム又はシートで管状に形成され、
前記止め部材(4)は、前記凹溝(15)を挟持又は把持する挟持部(40)を有し、当該挟持部(40)で前記カバー体(3)の上から凹溝(15)を挟持又は把持することで、前記カバー体(3)に対し所要の強さのテンションをかけるようにした、
表示装置。
【請求項４】
表示基体(1)の先端縁部の内部に着脱自在に装着できる拡張部材(16)を有し、当該拡張部材(16)を装着して表示基体(1)の先端部を膨らませてその状態を保持することにより、表示基体(1)の側面部(11,12)に先端縁部から基端縁部の開口部(10)へつながる膨らみを付与し、表示基体(1)の全体としての剛性を高めるようにした、
請求項３記載の表示装置。
【請求項５】
拡張部材(16)は、撓み性を有する合成樹脂製の板で形成されており、
表示基体(1)の先端縁部の内部において凹溝(15)より先端側の空隙(130)に入るヘッド部(160)と、
当該ヘッド部(160)が前記凹溝(15)より先端側の空隙(130)に入った状態で、凹溝(15)を形成している表示基体(1)の内部側の突部(150)と係合する係合部(164)と、
表示基体(1)の先部側の内部において、前記凹溝(15)より基端側の各側面部(11,12)の間を所要間隔で拡張する拡張部(161,163)と、
を備えている、
請求項４記載の表示装置。
【発明の詳細な説明】
【技術分野】
【０００１】
本発明は、表示装置に関するものである。更に詳しくは、自立するようにした表示基体に柔軟性を有するフィルム又はシートで形成されたカバー体を密着するように被せて広告や宣伝の表示を行う表示装置であって、カバー体の着脱をより簡単に短時間で行うことができる表示装置に関する。
【背景技術】
【０００２】
家電量販店等の店内に設置して商品の広告や宣伝に使用される等身大の表示板を備えたスタンド式の表示装置は、通常、表示の入替えが頻繁に行われるので、コストを抑えるため厚紙や段ボール紙等の紙製材料で形成されている。
このような表示装置は、いうまでもなく使用後に処分する際の環境に対する負荷が大きく、また、使い捨てであるため個々の単価は安価でも長年にわたるトータルコストは到底無視できるものではない。
【０００３】
本発明者は、この課題を解消するために、特許文献１において、自立型の表示体に宣伝や広告などが印刷された着脱自在な袋状のカバーを被せて広告や宣伝の表示を行うことにより、同じ表示体を廃棄することなく繰り返して使用することができる表示装置を提案している。
【０００４】
特許文献１記載の表示装置<A>は、自立性を有する表示体<1>と、表示体<1>に着脱可能に密着して被せられる袋状の表示体用カバー<100>を備え、表示体<1>には表示体用カバー<100>の着脱時において表示体用カバー<100>と表示体<1>の間に外気を通気させるための凹溝<151>が設けられており、表示体<1>に取り付けた表示体用カバー<100>に皺が形成されることを防止すると共に、表示体<1>に対する表示体用カバー<100>の着脱をスムーズに行うことができるというものである。
【先行技術文献】
【特許文献】
【０００５】
【特許文献１】特開２００８−０５８９３０
【発明の概要】
【発明が解決しようとする課題】
【０００６】
特許文献１記載の表示装置は、表示体に取り付けた表示体用カバーに皺が形成されることを防止できると共に、表示体に対する表示体用カバーの着脱をスムーズに行うことができるようにした点においては、従来のものと比較すれば十分に有用である。
しかしながら、実際に表示装置の使用を重ねるにつれて、次のような改善の余地があることもわかってきた。
【０００７】
すなわち、表示体用カバーが袋状であるために、表示体用カバーを表示体に被せようとすると、どうしても表示体用カバーの封鎖された先部側と表示体の間に空気が溜まりやすい。この溜まった空気は、凹溝等の通気手段によって外部へ排出することはできるが、この作業は効率がよいとはいえず、やや面倒な作業であるために、表示体用カバーを表示体に被せるまでに少々時間がかかってしまう。
【０００８】
また、表示体の構造上、封鎖された先端側が扁平な状態のままになりやすく、十分な剛性を得ることが難しい。このため、人や物が当たると簡単に変形してしまい、表示装置としての機能性を十分に発揮できなくなるおそれがある。さらに、表示体の先端側が扁平になりやすいために、表示体用カバーに十分な緊張力をかけることができず、皺が生じてしまうことがあった。
【０００９】
（本発明の目的）
本発明は、表示基体に柔軟性を有するフィルム又はシートで形成されたカバー体を密着するように被せて広告や宣伝の表示を行うようにした表示装置において、カバー体の着脱をより簡単に短時間で行うことができる表示装置を提供することを目的とする。
【００１０】
また、本発明の他の目的は、前記目的に加えて、被せられたカバー体に皺が生じることを防止できる表示装置を提供することであり、更に他の目的は、中空で撓み性を有する表示基体の全体の形状を剛性が高い膨らんだ状態で保持できるようにした表示装置を提供することである。
【課題を解決するための手段】
【００１１】
上記課題を解決するために本発明が講じた手段は次のとおりである。
（１）本発明は、
自立性を有し又は支持部材に取り付けることにより自立性が付与され、広告又は宣伝が直接又は着脱自在な表示部により表示された表示基体と、
当該表示基体に密着して着脱自在に被せられ前記表示基体の広告又は宣伝等の表示を外側から視認できるようにする透視部を有するカバー体と、
を備えており、
前記カバー体は、柔軟性を有するフィルム又はシートで管状に形成されている、
表示装置である。
【００１２】
（２）本発明は、
自立性を有し又は支持部材に取り付けることにより自立性が付与される表示基体と、
当該表示基体に密着して着脱自在に被せられ広告又は宣伝等の表示が設けられたカバー体と、
を備えており、
前記カバー体は、柔軟性を有するフィルム又はシートで管状に形成されている、
表示装置である。
【００１３】
（３）本発明は、
周壁を形成するように端縁部がつながった表裏一対の側面部を備えており、当該各側面部は基端縁部が離れて開口部が形成されている中空の表示基体と、
当該表示基体が着脱自在であり表示基体を膨らませた状態で自立できるように支持する支持部材と、
前記表示基体の各側面部に密着して着脱自在に被せられ広告又は宣伝等の表示が設けられたカバー体と、
前記表示基体の各側面部に前記つながった端縁部に沿って設けられた凹溝と、
前記表示基体に被せられた前記カバー体の上から前記凹溝に着脱自在に装着できる止め部材と、
を備えており、
前記カバー体は、柔軟性を有するフィルム又はシートで管状に形成され、
前記止め部材は、前記凹溝を挟持又は把持する挟持部を有し、当該挟持部で前記カバー体の上から凹溝を挟持又は把持することで、前記カバー体に対し所要の強さのテンションをかけるようにした、
表示装置である。
【００１４】
（４）本発明は、
表示基体の先端縁部の内部に着脱自在に装着できる拡張部材を有し、当該拡張部材を装着して表示基体の先端部を膨らませてその状態を保持することにより、表示基体の側面部に先端縁部から基端縁部の開口部へつながる膨らみを付与し、表示基体の全体としての剛性を高めるようにした、
前記（３）の表示装置である。
【００１５】
（５）本発明は、
拡張部材は、撓み性を有する合成樹脂製の板で形成されており、
表示基体の先端縁部の内部において凹溝より先端側の空隙に入るヘッド部と、
当該ヘッド部が前記凹溝より先端側の空隙に入った状態で、凹溝を形成している表示基体の内部側の突部と係合する係合部と、
表示基体の先部側の内部において、前記凹溝より基端側の各側面部の間を所要間隔で拡張する拡張部と、
を備えている、
前記（４）の表示装置である。
【００１６】
（作用）
本発明に係る表示装置の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１７】
本発明の表示装置は、表示基体(1)に管状で柔軟性を有するフィルム又はシートで形成されたカバー体(3)を密着するように被せて広告や宣伝等の表示を行うようにした表示装置であり、カバー体(3)が管状であるために、カバー体(3)を表示基体(1)に被せるときに、カバー体(3)の入れ口と反対側の開口部から空気が抜けて内部に溜まることがない。また、カバー体(3)を表示基体(1)から取り外す際に、カバー体(3)内部が真空になって取り外しの邪魔になることもない。
【００１８】
したがって、従来のように、通気手段を介してカバー体(3)の内部の空気を抜いたり（装着時）、空気を入れたり（取り外し時）するための手間もかからず、表示基体(1)に対するカバー体(3)の着脱をより簡単に短時間で行うことができる。
【００１９】
表示基体(1)に被せられたカバー体(3)の上から凹溝(15)に着脱自在に装着できる止め部材(4)を備えており、挟持部(40)でカバー体(3)の上から凹溝(15)を挟持又は把持することで、カバー体(3)に対し所要の強さのテンションをかけるようにしたものは、カバー体(3)が表示基体(1)の各側面部(11,12)表面と、より強く密着するよう緊張するので、カバー体(3)の広告や宣伝の表示(30)がきれいに見えると共に、カバー体(3)の縁に側面部(11,12)表面から浮いた部分や緩みが生じにくい。また、カバー体(3)の皺の浮いた部分に物が引っ掛かって破れたりすることを防止できる。
【００２０】
表示基体(1)の先端縁部の内部に着脱自在に装着できる拡張部材(16)を有し、当該拡張部材(16)を装着して表示基体(1)の先端部を膨らませてその状態を保持することにより、表示基体(1)の側面部(11,12)に先端縁部から基端縁部の開口部(10)へつながる膨らみを付与し、表示基体(1)の全体としての剛性を高めるようにしたものは、拡張部材(16)の装着によって表示基体(1)の全体が膨らむことで、被せられたカバー体(3)が側面部(11,12)表面と密着して緊張するので、皺が生じにくくなる。
また、中空で撓み性を有する表示基体(1)の全体の形状を剛性が高い膨らんだ状態で保持できるので、人や物がぶつかっても容易には変形せず、本来の表示形態を維持することができる。
【発明の効果】
【００２１】
本発明は、表示基体に管状で柔軟性を有するカバー体を密着するように被せて広告や宣伝の表示を行うようにした表示装置において、カバー体の着脱をより簡単に行うことができると共に、被せられたカバー体に皺が生じることを防止できる表示装置を提供することができる。
また、本発明は、中空で撓み性を有する表示基体の形状を剛性が高い膨らんだ状態で保持できるようにした表示装置を提供することができる。
【図面の簡単な説明】
【００２２】
【図１】本発明に係る表示装置の第１の実施形態を示す分解斜視図。
【図２】表示装置の組み立て状態を示し、（ａ）は正面図、（ｂ）は側面図。
【図３】表示装置の組み立て状態を示し、（ａ）は表示基体と支持ベース体を想像線で表した正面図、（ｂ）は平面図。
【図４】止め部材の装着構造を示す説明図であり、（ａ）は装着する前の状態の説明図、（ｂ）は装着状態の説明図。
【図５】拡張部材の構造を示し、（ａ）は展開図、（ｂ）は組立状態の斜視図。
【図６】表示基体に拡張部材を装着する方法を示し、（ａ）は正面図、（ｂ）は側面図。
【図７】本発明に係る表示装置の第２の実施形態を示し、（ａ）は分解斜視図、（ｂ）は側面図。
【発明を実施するための形態】
【００２３】
本発明を図面に示した実施の形態に基づき詳細に説明する。
図１乃至図５を参照する。
【００２４】
表示装置Ａ１は、広告や宣伝を表示するベースとなる表示基体１と、表示基体１を着脱自在に取り付けることができ、表示基体１に自立性を付与する支持部材である支持ベース体２と、表示基体１に着脱自在に被せられる管状（又は筒状）のカバー体３と、カバー体３を表示基体１に固定する止め部材４、４を備えている。以下、表示装置Ａ１の前記各構成部材について、詳しく説明する。
【００２５】
（表示基体１）
表示基体１は、図１に示すように、表裏一対の側面部１１と側面部１２で中空に構成されている。表示基体１は、側面部１１、１２が先端縁部と両側端縁部がやや平たくなるよう閉じられ、基端部には開口部１０が形成されている構造である。表示基体１は、弾性又は撓み性を有する合成樹脂で形成されており、開口部１０を拡げることができる。
【００２６】
表示基体１は、開口部１０側を拡げて前記支持ベース体２に取り付けたときに、側面視において厚みが先部側に向かって次第に薄くなるように、全体として先部側に向かってやや窄まる形状となるように形成されている（図１参照）。なお、表示基体１は、開口部１０側を拡げて開口部１０側の幅がやや短くなった状態で表示基体１の全体の幅がほぼ同じになるように形成されている。
【００２７】
表示基体１の大きさは、一例をあげれば、横幅が約４５０ｍｍ、高さが約９００ｍｍ、幅方向の両端部の厚みがそれぞれ約３０ｍｍ、基部側における幅方向の中央部分（最も膨らんだ部分）の厚みが約１７０ｍｍである。なお、表示基体１の大きさは、表示する内容や設置場所等の使用条件によって適宜設定され、前記大きさに特に限定されない。
【００２８】
表示基体１は、合成樹脂で一体成形されている。表示基体１の素材である合成樹脂の厚みとしては、例えば３ｍｍ程度のものが好適に採用できる。表示基体１の成形方法としては、熱可塑性樹脂を材料としたブロー成形を採用することもできるし、その他の公知の成形方法が適宜採用できる。また、一体成形ではなく、例えば合成樹脂製のシートを折り曲げ、溶着や接着等によって接合して成形することもできる。
【００２９】
表示基体１の先端側の幅方向の両端部分（隅部分）は、丸みをつけて形成されている。また、表示基体１の先部側の端縁部分（後述する丸縁部１４の厚み部分）と幅方向の両側の端縁部分（後述する丸縁部１３の厚み部分）も、その厚み方向に丸く形成されている。これにより、角張らせて形成した場合と比べ、人が表示基体１にぶつかっても危険性は低く、人が多く行き交うような場所でも安心して設置することができる。
【００３０】
表示基体１は、幅方向の両側縁と先端縁に、後述する止め部材４を装着することができる丸縁部１３、１４、１４がそれぞれ設けられている。表示基体１の側面部１１、１２の丸縁部１３、１４、１４に沿う外面には、丸縁部１３、１４、１４の全長にわたり所要深さの凹溝１５が連続的に設けられている。なお、凹溝１５は、後述する止め部材４の挟持部４０が係合する部分としても機能する。本実施の形態では凹溝１５の断面形状は半円弧状である。
【００３１】
表示基体１の側面部１１、１２の基部側（底部の開口部１０近傍）には、それぞれ幅方向の中央部分の二箇所に円形の係合孔１７が貫通して形成されている。表示基体１は、側面部１１、１２の開口部１０を拡げ、後述する支持ベース体２の係合突部２１に各係合孔１７を嵌め込むことによって、支持ベース体２に取り付けられる。
なお、支持ベース体２の構造は、前記特許文献１の特開２００８−０５８９３０に記載した支持ベース体<2>と同様の構造であるので、後の支持ベース体２の説明では、要所を簡単に説明するに止める。
【００３２】
表示基体１の内部側の先端部かつ幅方向中央部には、図５に示す拡張部材１６が着脱自在に装着されている。拡張部材１６は、撓み性を有する合成樹脂製の板で形成されている。拡張部材１６は、図５（ａ）に示す展開状態において、長さ方向の中間を対称軸として線対称形状に形成されている。
【００３３】
すなわち、拡張部材１６は、長さ方向の中間部に長方形状のヘッド部１６０を備えており、ヘッド部１６０の長さ方向の両端側には、外拡張部１６１が連設されている。ヘッド部１６０の両外拡張部１６１との境界部の幅方向両側には、所要深さにＶ字形に切り込まれた係合切込１６４が設けられている。
【００３４】
両外拡張部１６１は、ヘッド部１６０と同じ幅の首片１６１ａと、それにつながり幅方向の両側端辺部が先方へ向けやや拡がるよう湾曲した湾曲部１６８を有する拡張片１６１ｂで構成されている。また、拡張片１６１ｂの首片１６１ａとの境界部寄りには、後述する差込係合片１６３ａを差し込んで係合するための係合スリット１６１ｃが形成されている。
【００３５】
両外拡張部１６１の長さ方向の両端側には、拡張片１６１ｂ端部の幅と同幅で所要長さの接続部１６２が連設され、さらにその両端側には、内拡張部１６３が連設されている。内拡張部１６３は、幅方向の両側端辺部が先方へ向けやや狭まるよう湾曲した湾曲部１６９を有する拡張片１６３ｂと、その先端部に形成された差込係合片１６３ａで構成されている。
【００３６】
外拡張部１６１の幅方向の一方（図５（ａ）で左側）の端辺部（湾曲部１６８）には、接続部１６２寄りに引っ掛け用の切欠部１６５が形成されている。なお、外拡張部１６１と内拡張部１６３の両側端縁部の湾曲部１６８、１６９の形状は、接続部１６２の中間を対称軸として対称であり、後述するように拡張部材１６を組み立てたときに揃うようになっている（図５（ｂ）参照）。なお、前記ヘッド部１６０と外拡張部１６１、外拡張部１６１と接続部１６２、接続部１６２と内拡張部１６３の各境界部には、曲げ加工が簡単にできるようにした脆弱線１６６が設けられている。
【００３７】
図５（ｂ）を参照して拡張部材１６の組み立て方法を説明する。
本実施の形態では、ヘッド部１６０の内面側（図５（ｂ）で下面側）に、ヘッド部１６０と同じ長方形状で合成樹脂製の補強板１６７が接着されている。なお、拡張部材１６を後述する使用に十分な強度が得られる材料でつくれば、補強板１６７を接着しない構造とすることもできる。
【００３８】
拡張部材１６の組み立ては次のように行う。
まず、ヘッド部１６０の両端部の脆弱線１６６で両外拡張部１６１を補強板１６７が接着されている側（内側）へほぼ直角に曲げる。次に、両外拡張部１６１の端部の各脆弱線１６６で両接続部１６２を内側へほぼ直角に曲げ、さらに両接続部１６２の端部の各脆弱線１６６で両内拡張部１６３を内側へほぼ直角に曲げる。そして、両内拡張部１６３の先端の差込係合片１６３ａを拡張片１６１ｂの係合スリット１６１ｃに差し込んで係合させて組み立てる。
【００３９】
組み立てた拡張部材１６は、次のようにして表示基体１に装着される。
図６（ａ）及び図６（ｂ）を参照する。
【００４０】
まず、表示基体１の開口部１０をやや開き、拡張部材１６を外拡張部１６１と内拡張部１６３の幅方向両端縁部の各湾曲部１６８、１６９が表示基体１の側面部１１、１２側を向くようにし、開口部１０の幅方向の中間部に配する。
そして、拡張部材１６のヘッド部１６０の内面（補強板１６７）に、長尺な押込棒５の先端を当てて、拡張部材１６を表示基体１の内部の先端へ向け押し込む。
【００４１】
これにより、拡張部材１６が側面部１１、１２の外面側で各凹溝１５を形成している突部である狭小条部１５０に来る。そして、拡張部材１６を更に強く押し込むと、ヘッド部１６０が撓み変形するか、又は狭小条部１５０が拡がる方向に撓み変形することによって、狭小条部１５０をヘッド部１６０が乗り越えて、丸縁部１３の内部側の空隙１３０に入る。同時に、ヘッド部１６０両端にある係合切込１６４が各狭小条部１５０に係合し、拡張部材１６は固定される。
【００４２】
また、拡張部材１６が固定された状態では、拡張部材１６の外拡張部１６１と内拡張部１６３の幅方向両端縁部の各湾曲部１６８、１６９が表示基体１の側面部１１、１２の内面に当たって、側面部１１、１２を各湾曲部１６８、１６９の形状に押し広げる（図６（ｂ）参照）。これにより、表示基体１の先端部の幅方向中央部が膨らみ、開口部１０を拡げて表示基体１を後述する支持ベース体２に取り付けたときには、表示基体１の側面部１１、１２に先端縁部から基端縁部の開口部１０へつながる膨らみを付与することによって、表示基体１の全体としての剛性を高めることができる。
【００４３】
なお、拡張部材１６を取り外すときには次のように行う。
先端にフックを有している長尺な棒体（図示省略）を用意し、表示基体１の開口部１０からこの棒体を差し込み、先端のフックを拡張部材１６の一方の切欠部１６５に引っ掛けて開口部１０方向へ引っ張る。これにより、ヘッド部１６０が狭小条部１５０から外れ、拡張部材１６を取り外すことができる。
【００４４】
（支持ベース体２）
支持ベース体２は、平面視略方形状で所要の厚みを有する基体２０と、基体２０の上面の対角線方向の二箇所に取り付けられた係止部材（図では見えない）を備えている。各係止部材の外面側には、前記表示基体１の係合孔１７を嵌め込む係合突部２１がそれぞれ二箇所に設けられている。
【００４５】
支持ベース体２は、表示基体１の転倒を防止するために、内部に重りとなる水等の液体又は砂などの流動性固体を入れることができる空間部（図では見えない）を有している。空間部には、キャップ付きの入れ口（図では見えない）から液体又は流動性固体をいれることができる。支持ベース体２の空間部に液体又は流動性固体を適量入れることで、その重みによって表示装置Ａ１を安定させることができる。
【００４６】
（カバー体３）
表示基体１には、柔軟性を有する合成樹脂製のフィルムで先端側（図１では上端側）へやや窄まるよう管状に形成されたカバー体３が、全体を密着させて被せられる。カバー体３は、膨らませない状態（表裏側を合わせて平坦にした状態）では、底辺側（図１において下側）がやや長い台形状に形成されている。カバー体３は、表示基体１に対し着脱が自在であり、被せた状態ではカバー体３の上端から表示基体１の上部が一部露出している（図２、図３参照）。なお、カバー体３は、フィルムよりやや厚いシートで形成することもでき、このシートには各種の布も含まれる。また、カバー体３は、本実施の形態では透明であるが、有色や半透明のものを採用することもできる。
【００４７】
また、カバー体３の正面側の表面には表示部３０を有している。本実施の形態では、表示部３０に「駐車禁止」の文字が縦書きに表されているが、表示部３０の内容はこれに限定されるものではなく、例えば商品や店の広告、宣伝等、用途に応じて適宜設定される。なお、表示部３０は、カバー体３の正面側だけでなく、背面側にも設けることができる。
【００４８】
このように、カバー体３に表示部３０を設けることにより、表示基体１に被せるカバー体３を取り換えるだけで、同じ表示基体１を繰り返して使用することができる。なお、表示基体１の側面部１１、１２の表面に表示部を設けておけば、カバー体３を被せていない状態でも、表示基体１を表示手段として使用することができる。
【００４９】
（止め部材４）
止め部材４は、弾性又は撓み性を有する材料である合成樹脂で形成されている。止め部材４は、図４に示すように断面形状ほぼＣ形状で所要の長さに形成されている。本実施の形態では、止め部材４の長さは前記カバー体３の長さとほぼ同じ長さに形成されているが、それより短いものを必要な数だけ使用することもできる。
【００５０】
止め部材４の軸周方向における両端部には、全長にわたり内方へ向け湾曲した挟持部４０を備えている。両挟持部４０の間隔は、前記表示基体１の側面部１１、１２の各凹溝１５の底部の間隔よりやや狭くなるように形成されている。この構造により、止め部材４は、側面部１１、１２の各凹溝１５に対し（通常の使用時には、表示基体１に被せられたカバー体３が介在する）、弾性又は撓み性を利用してややきつく装着することができる。
【００５１】
（作用）
本実施の形態に係る表示装置Ａ１は、次のように作用する。
表示装置Ａ１を構成する表示基体１は、支持ベース体２に着脱自在である。したがって、例えば家電量販店の店内等で使用する場合に、表示装置Ａ１が等身大の嵩張る大きさであっても、表示基体１と支持ベース体２に分けることができるので、嵩張らず、設置や保管をする際の移動が容易にできる。また、表示基体１と支持ベース体２に分けることで、保管場所のスペースを有効に利用できるので効率よく保管することができる。
【００５２】
表示装置Ａ１を設置する際には、支持ベース体２の内部の空間部に重りとなる水を適量入れる。次に、支持ベース体２に表示基体１を取り付ける。表示基体１は、側面部１１、１２の開口部１０を拡げ、支持ベース体２の各係合突部２１に各係合孔１７を嵌め込むことによって、支持ベース体２に取り付けることができる。表示基体１は、取付状態において、側面部１１、１２の撓み性により開口部１０が閉じる方向に力が作用しているので、通常の使用においては起立状態を保持し、支持ベース体２から容易には外れない。
【００５３】
表示基体１の取り付けが済んだら、カバー体３を表示基体１に被せる。カバー体３は、表示基体１に被せた後に皺が形成されることを防止するために、前記したように表示基体１表面にややきつく密着させて被せることができる大きさで形成されている。
【００５４】
また、カバー体３は管状であり、長さ方向の両端部が開口しているので、カバー体３を表示基体１に被せる際に、カバー体３の内部に空気が溜まって装着の邪魔になることがなく、さらに、カバー体３を表示基体１から取り外す際にカバー体３内部が真空になって取り外しの邪魔になることもないので、これらの点からもカバー体３の着脱は比較的容易に行うことができる。
【００５５】
そして、カバー体３を表示基体１に被せた状態で、表示基体１の両側部の端縁部分である各丸縁部１４と凹溝１５に止め部材４を装着する。すなわち、各止め部材４は、丸縁部１４及びそれに沿う凹溝１５との間にカバー体３の幅方向の両側部分を挟み込んだ状態で装着される（図４参照）。
【００５６】
当初、側面部１１、１２表面に密着するようにややきつく被せられるカバー体３は、フィルムが緊張しているために凹溝１５の部分では凹溝１５から浮いている（図４（ａ）参照）。そして、止め部材４を丸縁部１４と凹溝１５に装着し、凹溝１５との間にカバー体３を挟み込むことで、カバー体３は凹溝１５方向へさらに引っ張られて、より強く緊張するので（図４（ｂ）参照）、カバー体３がずれにくく、皺も発生しにくい。これにより、カバー体３の表示部３０をきれいに表示することができる。
【００５７】
また、表示基体１内部の先端部の幅方向中央部に拡張部材１６が装着されているので、表示基体１の側面部１１、１２のその部分が膨らんでいる。これにより、表示基体１の側面部１１、１２に先端縁部から基端縁部の開口部１０へつながる膨らみが付与されているので、前記したように表示基体１の全体としての剛性を高めることができると共に、膨らんだ部分の表面がカバー体３に密着しやすく、この点からもカバー体３の皺の発生を防止できる。
【００５８】
なお、止め部材４に、前記カバー体３の表示部３０とは別に、例えば表示パネル（図示省略）を設けて、表示を増やすことができる。また、止め部材４より短いカバー体を用意して表示パネルを設け、これを表示基体１の先端の丸縁部１３及び凹溝１５に装着して表示を増やすようにしてもよい。
【００５９】
図７を参照する。なお、図７において、前記表示装置Ａ１と同一または同等箇所には同一の符号を付して示し、構造について重複する説明は省略する。
【００６０】
表示装置Ａ２は、前記表示装置Ａ１とは相違して、表示基体１ａと支持ベース体２ａが一体に形成されている構造であり、組み立てたり分解するための手間がかからない利点がある。また、表示基体１ａには、拡張部材１６は装着されていないが、製造段階において側面部１１、１２の全体に必要な膨らみを付与するように成形されている。
【００６１】
表示装置Ａ２では、表示基体１ａの側面部１１の表面に、表示部１８０を設けた表示シート１８が張設されており、カバー体３ａには表示部が設けられていない。カバー体３ａは、表示部が設けられていない点を除いては、前記表示装置Ａ１のカバー体３と同様の構造を有している。
【００６２】
表示基体１ａに被せられたカバー体３ａは、各丸縁部１４及び凹溝１５に装着される各止め部材４によって固定される。また、表示基体１ａの表示部１８０は、表示基体１ａに被せられた透明なカバー体３ａを通して、外部から視認することができる。
表示装置Ａ２は前記構成を有し、表示基体１ａの剛性の確保や、表示基体１ａに被せられるカバー体３ａの皺の発生の防止等の機能性については、前記表示装置Ａ１とほぼ同様である。
【００６３】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００６４】
Ａ１  表示装置
１  表示基体
１０  開口部
１１  側面部
１２  側面部
１３  丸縁部
１３０  空隙
１４  丸縁部
１５  凹溝
１５０  狭小条部
１６  拡張部材
１６０  ヘッド部
１６１  外拡張部
１６１ａ  首片
１６１ｂ  拡張片
１６１ｃ  係合スリット
１６２  接続部
１６３  内拡張部
１６３ａ  差込係合片
１６３ｂ  拡張片
１６４  係合切込
１６５  切欠部
１６６  脆弱線
１６７  補強板
１６８  湾曲部
１６９  湾曲部
１７  係合孔
２  支持ベース体
２０  基体
２１  係合突部
３  カバー体
３０  表示部
４  止め部材
４０  挟持部
５  押込棒
Ａ２  表示装置
１ａ  表示基体
２ａ  支持ベース体
３ａ  カバー体
１８  表示シート
１８０  表示部
【図１】
2012063705.tif 000003
【図２】
2012063705.tif 000004
【図３】
2012063705.tif 000005
【図４】
2012063705.tif 000006
【図５】
2012063705.tif 000007
【図６】
2012063705.tif 000008
【図７】
2012063705.tif 000009